【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ソフトウェア関連イベントを監視して関連付ける方法であって、
サーバ・コンピューティング・デバイスが、クライアント・コンピューティング・デバイスにおけるソフトウェア・アプリケーションに関連付けられているユーザが起動したイベントが発生したことを示す通知を受信する工程であって、
前記ユーザが起動したイベントに関連付けられている前記ユーザの識別または前記クライアント・コンピューティング・デバイスの識別に関連付けられている情報と、
前記ユーザが起動したイベントを記述する所定のシンボル・ストリングと、
前記ユーザが起動したイベントに関連付けられている属性の値を記述する数と、ここで、数は、ソフトウェア・アプリケーションの機能の使用頻度またはソフトウェア・アプリケーションに関連する購入品の量を特定し、
イベント時またはイベント時付近における前記ユーザの属性、または前記数の属性を記述するパラメータとを含む前記通知を受信する工程と、
前記サーバ・コンピューティング・デバイスが、前記通知の受信に応答して、前記ユーザが起動したイベントを前記ユーザに関連付ける工程と、
前記サーバ・コンピューティング・デバイスが、前記所定のシンボル・ストリングに少なくとも部分的に基づいて、前記通知に関連付けられている前記ユーザが起動したイベントの記述を決定する工程と、
前記サーバ・コンピューティング・デバイスが、前記関連付ける工程及び前記決定する工程に基づいてユーザに対する広告キャンペーンを決定する工程と
を備える方法。
【請求項２】
前記クライアント・コンピューティング・デバイスは、モバイル・コンピューティング・デバイスを含む、請求項１に記載の方法。
【請求項３】
前記イベントは、前記クライアント・コンピューティング・デバイス上での前記ソフトウェア・アプリケーションのインストールを含む、請求項１に記載の方法。
【請求項４】
前記イベントは、
前記ソフトウェア・アプリケーションの使用、
前記ソフトウェア・アプリケーションの機能の使用、
前記ソフトウェア・アプリケーションとの相互作用に費やした時間、
前記ソフトウェア・アプリケーションの使用量、
のうちの１つまたは複数を含む、請求項１に記載の方法。
【請求項５】
前記所定のシンボル・ストリングは、前記ソフトウェア・アプリケーションの開発者または広告主によってあらかじめ決定されている、請求項１に記載の方法。
【請求項６】
前記パラメータは、
前記ソフトウェア・アプリケーションに関連付けられている金融取引に関連付けられている通貨、
前記ユーザがメンバーであるグループ、
前記ユーザが使用したデバイス、
前記ユーザが使用した他のソフトウェア・アプリケーション、または
前記ユーザの関心事
を含む、請求項１に記載の方法。
【請求項７】
ソフトウェアを実装するコンピュータ読み取り可能で非一時的な１つまたは複数の記憶媒体であって、前記ソフトウェアは、実行されたときに、ソフトウェア関連イベントを監視して関連付けるように動作可能であり、前記ソフトウェアは、
サーバ・コンピューティング・デバイスによって、クライアント・コンピューティング・デバイスにおけるソフトウェア・アプリケーションに関連付けられているユーザが起動したイベントが発生したことを示す通知を受信し、
ここで、前記通知は、
前記ユーザが起動したイベントに関連付けられている前記ユーザの識別または前記クライアント・コンピューティング・デバイスの識別に関連付けられている情報と、
前記ユーザが起動したイベントに関する所定のシンボル・ストリングと、
前記ユーザが起動したイベントに関連付けられている属性の値を記述する数と、ここで、数は、ソフトウェア・アプリケーションの機能の使用頻度またはソフトウェア・アプリケーションに関連する購入品の量を特定し、
イベント時またはイベント時付近における前記ユーザの属性、または前記数の属性を記述するパラメータとを含み、
前記サーバ・コンピューティング・デバイスによって、前記通知の受信に応答して、前記ユーザが起動したイベントを前記ユーザに関連付け、
前記サーバ・コンピューティング・デバイスによって、前記所定のシンボル・ストリングに少なくとも部分的に基づいて、前記通知に関連付けられている前記ユーザが起動したイベントの記述を決定し、
前記サーバ・コンピューティング・デバイスによって、関連付け及びイベントの記述の決定に基づいてユーザに対する広告キャンペーンを決定する命令を含む、媒体。
【請求項８】
前記クライアント・コンピューティング・デバイスは、モバイル・コンピューティング・デバイスを含む、請求項７に記載の媒体。
【請求項９】
前記イベントは、前記クライアント・コンピューティング・デバイス上での前記ソフトウェア・アプリケーションのインストールを含む、請求項７に記載の媒体。
【請求項１０】
前記イベントは、
前記ソフトウェア・アプリケーションの使用、
前記ソフトウェア・アプリケーションの機能の使用、
前記ソフトウェア・アプリケーションとの関わりに費やした時間、
前記ソフトウェア・アプリケーションの使用量、
のうちの１つまたは複数を含む、請求項７に記載の媒体。
【請求項１１】
前記シンボル・ストリングは、前記ソフトウェア・アプリケーションの開発者または広告主によってあらかじめ決定されている、請求項７に記載の媒体。
【請求項１２】
前記パラメータは、
前記ソフトウェア・アプリケーションに関連付けられている金融取引に関連付けられている通貨、
前記ユーザがメンバーであるグループ、
前記ユーザが使用したデバイス、
前記ユーザが使用した他のソフトウェア・アプリケーション、または
前記ユーザの関心事
を含む、請求項７に記載の媒体。
【請求項１３】
ソフトウェア関連イベントを監視して関連付けるシステムであって、
１つまたは複数のプロセッサと、
前記プロセッサと接続され、前記プロセッサによって実行可能な命令を含むメモリとを備え、
前記プロセッサは、命令を実行するときに、
サーバ・コンピューティング・デバイスよって、クライアント・コンピューティング・デバイスにおけるソフトウェア・アプリケーションに関連付けられているユーザが起動したイベントが発生したことを示す通知を受信し、
ここで、前記通知は、
前記ユーザが起動したイベントに関連付けられている前記ユーザの識別または前記クライアント・コンピューティング・デバイスの識別に関連付けられている情報と、
前記ユーザが起動したイベントを記述する所定のシンボル・ストリングと、
前記ユーザが起動したイベントに関連付けられている属性の値を記述する数と、ここで、数は、ソフトウェア・アプリケーションの機能の使用頻度またはソフトウェア・アプリケーションに関連する購入品の量を特定し、
イベント時またはイベント時付近における前記ユーザの属性、または前記数の属性を記述するパラメータとを含み、
前記サーバ・コンピューティング・デバイスよって、前記通知の受信に応答して、前記ユーザが起動したイベントを前記ユーザに関連付け、
前記サーバ・コンピューティング・デバイスによって、前記所定のシンボル・ストリングに少なくとも部分的に基づいて、前記通知に関連付けられている前記ユーザが起動したイベントの記述を決定し、
前記サーバ・コンピューティング・デバイスによって、関連付け及びイベントの記述の決定に基づいてユーザに対する広告キャンペーンを決定するように動作可能である、システム。
【請求項１４】
前記イベントは、
前記ソフトウェア・アプリケーションの使用、
前記ソフトウェア・アプリケーションの機能の使用、
前記ソフトウェア・アプリケーションとの関わりに費やした時間、
前記ソフトウェア・アプリケーションの使用量
のうちの１つまたは複数を含む、請求項１３に記載のシステム。
【請求項１５】
前記所定のシンボル・ストリングは、前記ソフトウェア・アプリケーションの開発者または広告主によってあらかじめ決定されている、請求項１３に記載のシステム。
【請求項１６】
前記パラメータは、
前記ソフトウェア・アプリケーションに関連付けられている金融取引に関連付けられている通貨、
前記ユーザがメンバーであるグループ、
前記ユーザが使用したデバイス、
前記ユーザが使用した他のソフトウェア・アプリケーション、または
前記ユーザの関心事
を含む、請求項１３に記載のシステム。
【請求項１７】
ユーザが起動したイベントは、ソフトウェア・アプリケーションが前記クライアント・コンピューティング・デバイスによって実行される期間中のソフトウェア・アプリケーションとのユーザ対話を含む、請求項１に記載の方法。